【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
符号化されたデータコードに低角度暗視野照明を照射する複数の個々に制御可能な発光部分を有する光源と、  該光源によって照射される際、前記符号化されたデータコードから反射される画像データを検出する画像センサと、  前記個々に制御可能な発光部分の各々に接続され、該発光部分を選択的に作動するようプログラムされ、前記光源によって前記符号化されたデータコードに照射される暗視野照明の方向を調整し、前記画像センサによって集められる前記画像データを処理して前記コードを解読する制御器と、を備えるデジタル方式で符号化されたコードを解読するデジタル走査装置。
【請求項２】
前記個々に制御可能な発光部分が円形リング、長方形のリング、卵形リング、楕円形リングの少なくとも１つの一部からなる請求項１に記載のデジタル走査装置。
【請求項３】
前記円形リングの一部が四円分弧からなる請求項２に記載のデジタル走査装置。
【請求項４】
前記画像センサによって取得される前記データを評価し、コードの解読を最適化するため前記個々に制御可能な発光部分から前記データコードに照射される光を変更するよう更に前記制御器がプログラムされている請求項１に記載のデジタル走査装置。
【請求項５】
前記光源が受動の光導管からなる請求項１に記載のデジタル走査装置。
【請求項６】
前記走査装置が手持ち式走査装置である請求項１に記載のデジタル走査装置。
【請求項７】
前記走査装置が固定式走査装置である請求項１に記載のデジタル走査装置。
【請求項８】
前記光源が能動の光導管からなる請求項１に記載のデジタル走査装置。
【請求項９】
前記個々に制御可能な発光部分の少なくとも一つを作動するよう手動で選択するため前記制御器に接続される手動制御手段を更に備える請求項１に記載のデジタル走査装置。
【請求項１０】
解読に成功するよう作動された発光部分に関するデータを記録するメモリを更に備える請求項１に記載のデジタル走査装置。
【請求項１１】
前記個々に制御可能な発光部分の明るさを変更するよう更に前記制御器がプログラムされている請求項１に記載のデジタル走査装置。
【請求項１２】
前記画像センサの露出時間を変更するよう更に前記制御器がプログラムされている請求項１に記載のデジタル走査装置。
【請求項１３】
前記画像センサによって取得される前記画像データを評価して該画像データが前記コードを解読するのに十分であるか否かを判断し、該画像データが該コードを解読するのに十分となるまで前記光源から投照される光を変更するよう更に前記制御器がプログラムされている請求項１に記載のデジタル走査装置。
【請求項１４】
発光条件を記録するため前記制御器に接続されたメモリを更に備える請求項１に記載のデジタル走査装置。
【請求項１５】
前記データの統計的分析に基づき、前記コードを解読するのに該データが十分であるかどうか判断するよう更に前記制御器がプログラムされている請求項１に記載のデジタル走査装置。
【請求項１６】
前記コードの解読ができるか試行することによって、該コードを解読するのに前記データが十分であるか否かを判断するよう更に前記制御器がプログラムされている請求項１に記載のデジタル走査装置。
【請求項１７】
明視野照明を前記近接面に照射するため明視野光源を更に備え、該明視野光源を選択的に作動して前記コードを照射するよう更に前記制御器がプログラムされている請求項１に記載のデジタル走査装置。
【請求項１８】
前記コードから反射される光を検出するため、及び前記発光条件を変更すべく前記制御器にフィードバック情報を与えるため、該制御器に接続された画像センサを更に備える請求項１に記載のデジタル走査装置。
【請求項１９】
明視野照明を更に備える請求項１に記載のデジタル走査装置。
【請求項２０】
暗視野照明を投射するよう調整された先端を含む管状光導管を更に備え、発光部分が光を光導管に連通するよう配置されている請求項１に記載のデジタル走査装置。
【請求項２１】
リング形状の取り付け部分及び前記照明部分を支える形と大きさの不透明な頂部表面を含むカバーを更に備え、前記発光部分は前記カバーに取り付けられて前記リングの中央に向けられ、前記不透明な表面は前記照明部分から発光される光を低角度暗視野照明を放出するよう斜光されている請求項１に記載のデジタル走査装置。
【請求項２２】
発光部分が弓形の部分である請求項１に記載のデジタル走査装置。
【請求項２３】
（ａ）照射面に低角度暗視野照明を照射するため、複数の個々に制御可能な発光部分を符号化されたデータコードの周囲に配列するステップと、  （ｂ）前記個々に制御可能な発光部分の少なくとも一つを用いて前記符号化されたデータコードを照射するステップと、  （ｃ）画像データセットを取得するステップと、  （ｄ）該画像データセットを評価し、解読に適しているかを判断するステップと、  （ｅ）前記個々に制御可能な発光部分から照射される光を変更するため発光パラメータを選択的に変更し、前記符号化されたデータコードへの前記暗視野照明の方向を変更するステップと、  （ｆ）前記画像データセットが解読に適したものとなるまでステップ（ｄ）及びステップ（ｅ）を繰り返すステップと、を備える符号化されたデータコードを解読する方法。
【請求項２４】
前記個々に制御可能な発光部分を四分円弧にして前記照射面のまわりに配列するステップを更に備える請求項２３に記載の方法。
【請求項２５】
解読に適すると認識された光学パラメータを記録するステップ（ｇ）を更に備える請求項２３に記載の方法。
【請求項２６】
ステップ（ｂ）が、記録された照明の前記設定を読み出すことを備える請求項２５に記載の方法。
【請求項２７】
ステップ（ｂ）が、前記発光部分を各々作動するため初期設定パラメータを読み出すことを備える請求項２３に記載の方法。
【請求項２８】
ステップ（ｄ）が、前記コードを解読するため前記取得された画像データを評価することを備える請求項２３に記載の方法。
【請求項２９】
ステップ（ｄ）が、明暗画素の相対強度を評価すべく前記取得された画像データを評価することを備える請求項２３に記載の方法。
【請求項３０】
ステップ（ａ）が、前記発光部分を四分円弧に配列することを備え、続くステップ（ｂ）が該四分円弧の一以上の組合せを逐次作動することを備える請求項２３に記載の方法。
【請求項３１】
ステップ（ａ）が、明視野照明部分を照射するステップを更に備え、明視野照明及び暗視野照明の各々を選択的に照射することを備える請求項２３に記載の方法。
【請求項３２】
ステップ（ｅ）が、前記照明の明るさを変更するため、前記個々に制御可能な発光部分の少なくとも一つに適用される信号を調節することによって照射される光を変更することを備える請求項２３に記載の方法。
【請求項３３】
ステップ（ｅ）が、前記コードを照射する露出時間を変更することを備える請求項２３に記載の方法。
【請求項３４】
ステップ（ｅ）が、焦点を変更することを備える請求項２３に記載の方法。
【請求項３５】
ステップ（ｅ）が、前記個々に制御可能な発光部分の少なくとも一つを選択的に作動することを備える請求項２３に記載の方法。
【請求項３６】
ステップ（ａ）が、低角度暗視野照明を照射するため、光学部分から照射された光を斜光することを更に備える請求項２３に記載の方法。